【手続補正書】
【提出日】平成16年6月17日(2004.6.17)
【手続補正１】
【補正対象書類名】明細書
【補正対象項目名】発明の名称
【補正方法】変更
【補正の内容】
【発明の名称】画像入力装置およびその制御方法、情報処理装置およびその方法、並びに、印刷システム
【手続補正２】
【補正対象書類名】明細書
【補正対象項目名】特許請求の範囲
【補正方法】変更
【補正の内容】
【特許請求の範囲】
【請求項１】
画像を取得する取得手段と、
前記取得手段により取得した画像をメモリに記憶させる記憶制御手段と、
印刷処理のための情報処理装置と通信を行う通信手段と、
前記取得手段によって取得または前記メモリに記憶した画像の印刷要求を入力するための入力手段とを有し、
前記通信手段は、前記印刷要求が入力されると、印刷を指示するコマンドおよび印刷すべき画像を前記情報処理装置へ送信することを特徴とする画像入力装置。
【請求項２】
画像を取得する取得手段と、
前記取得手段により取得した画像をメモリに記憶させる記憶制御手段と、
印刷処理のための情報処理装置と通信を行う通信手段と、
前記取得手段によって取得または前記メモリに記憶した画像の印刷要求を入力するための入力手段と、
前記取得または記憶された画像を表示する表示手段と、
前記表示手段に画像を表示する際の表示プロパティを設定するための表示プロパティ設定手段と、
設定された表示プロパティを記憶する表示プロパティ記憶手段とを有し、
前記通信手段は、前記印刷要求が入力されると、印刷すべき画像および前記表示プロパティ記憶手段に記憶された表示プロパティを前記情報処理装置へ送信することを特徴とする画像入力装置。
【請求項３】
前記通信手段は、前記印刷要求が入力されると、前記表示手段に表示されている画像を前記印刷すべき画像として前記情報処理装置へ送信することを特徴とする請求項2に記載された画像入力装置。
【請求項４】
前記表示プロパティは少なくとも明度、各色成分のゲイン、コントラスト、色温度およびガンマ値の何れかであること特徴とする請求項2または請求項3に記載された画像入力装置。
【請求項５】
さらに、画像を印刷する際のレイアウトを設定するためのレイアウト設定手段を有し、
前記通信手段は、前記印刷要求が入力されると、前記印刷すべき画像とともに、設定されたレイアウトを示す情報を前記情報処理装置へ送信することを特徴とする請求項1に記載された画像入力装置。
【請求項６】
さらに、前記取得または記憶された画像とともに、ポインティングカーソルを表示する表示手段を有し、
前記レイアウト設定手段は、前記ポインティングカーソルの移動に応じて前記レイアウトを設定することを特徴とする請求項5に記載された画像入力装置。
【請求項７】
さらに、前記取得または記憶された画像に合成可能な複数のテンプレート画像を示す情報を記憶するテンプレート画像記憶手段と、
合成すべきテンプレート画像を選択するための選択手段とを有し、
前記通信手段は、前記印刷要求が入力されると、前記印刷すべき画像とともに、選択されたテンプレート画像を示す情報を前記情報処理装置へ送信することを特徴とする請求項1に記載された画像入力装置。
【請求項８】
前記テンプレート画像記憶手段はテンプレート画像の縮小画像を記憶することを特徴とする請求項7に記載された画像入力装置。
【請求項９】
前記画像入力装置はディジタルスチルカメラであることを特徴とする請求項1から請求項8に記載された画像入力装置。
【請求項１０】
前記通信手段はシリアルバスを介して通信を行うことを特徴とする請求項1から請求項9の何れかに記載された画像入力装置。
【請求項１１】
画像入力装置から印刷を指示するコマンドおよび印刷すべき画像を受信する通信手段と、
印刷装置に対して、前記受信画像の印刷要求を発行し、前記受信画像を送信する制御手段とを有することを特徴とする情報処理装置。
【請求項１２】
画像入力装置から印刷すべき画像、および、前記画像を表示する際の表示プロパティを受信する通信手段と、
前記表示プロパティに応じた画像処理を前記受信画像に施す画像処理手段と、
印刷装置に対して、前記画像処理を施した画像の印刷要求を発行し、前記画像を送信する制御手段とを有することを特徴とする情報処理装置。
【請求項１３】
前記画像処理は少なくとも輝度補正処理、色補正処理、誤差拡散処理、ディザ処理、各色成分のゲイン補正処理、コントラスト補正処理およびガンマ補正処理の何れかであることを特徴とする請求項12に記載された情報処理装置。
【請求項１４】
さらに、前記印刷すべき画像とともに受信されるレイアウト情報に従い前記受信画像を画像処理する画像処理手段を有することを特徴とする請求項11に記載された情報処理装置。
【請求項１５】
さらに、画像に合成可能な複数のテンプレート画像を記憶するテンプレート画像記憶手段と、
前記印刷すべき画像とともに受信される情報に対応するテンプレート画像を、前記印刷すべき画像に合成する画像処理手段を有することを特徴とする請求項11に記載された情報処理装置。
【請求項１６】
前記画像入力装置はディジタルスチルカメラであることを特徴とする請求項11から請求項15の何れかに記載された情報処理装置。
【請求項１７】
前記通信手段はシリアルバスを介して通信を行うことを特徴とする請求項11から請求項16の何れかに記載された情報処理装置。
【請求項１８】
画像を取得する取得手段、前記取得手段により取得した画像をメモリに記憶させる記憶制御手段、情報処理装置と通信を行う第一の通信手段、並びに、前記取得手段によって取得または前記メモリに記憶した画像の印刷要求を入力するための入力手段を有し、前記印刷要求が入力されると、前記第一の通信手段により、印刷を指示するコマンドおよび印刷すべき画像を前記情報処理装置へ送信する画像入力装置と、
前記コマンドおよび前記印刷すべき画像を受信する第二の通信手段、並びに、印刷装置に対して、前記受信画像の印刷要求を発行し、前記受信画像を送信する制御手段を有する情報処理装置とを備えることを特徴とする印刷システム。
【請求項１９】
画像を取得する取得手段、前記取得手段により取得した画像をメモリに記憶させる記憶制御手段、情報処理装置と通信を行う第一の通信手段、前記取得手段によって取得または前記メモリに記憶した画像を表示する表示手段、前記取得または記憶した画像の印刷要求を入力するための入力手段、前記表示手段に画像を表示する際の表示プロパティを設定するための表示プロパティ設定手段、並びに、設定された表示プロパティを記憶する表示プロパティ記憶手段とを有し、前記印刷要求が入力されると、前記第一の通信手段により、印刷すべき画像および前記表示プロパティ記憶手段に記憶された表示プロパティを前記情報処理装置へ送信する画像入力装置と、
前記印刷すべき画像および前記表示プロパティを受信する第二の通信手段、前記表示プロパティに応じた画像処理を前記受信画像に施す画像処理手段、並びに、印刷装置に対して、前記画像処理を施した画像の印刷要求を発行し、前記画像を送信する制御手段を有する情報処理装置とを備えることを特徴とする印刷システム。
【請求項２０】
画像を取得する取得手段、前記取得手段により取得した画像をメモリに記憶させる記憶制御手段、並びに、印刷処理のための情報処理装置と通信を行う通信手段を有する画像入力装置の制御方法であって、
前記取得手段によって取得または前記メモリに記憶した画像の印刷要求を入力し、
前記印刷要求が入力されると、印刷を指示するコマンドおよび印刷すべき画像を前記通信手段を介して前記情報処理装置へ送信することを特徴とする制御方法。
【請求項２１】
画像を取得する取得手段、前記取得手段により取得した画像をメモリに記憶させる記憶制御手段、印刷処理のための情報処理装置と通信を行う通信手段、前記取得手段によって取得または前記メモリに記憶した画像を表示する表示手段、前記表示手段に画像を表示する際の表示プロパティを設定するための表示プロパティ設定手段、並びに、設定された表示プロパティを記憶する表示プロパティ記憶手段を有する画像入力装置の制御方法であって、
前記取得または記憶した画像の印刷要求を入力し、
前記印刷要求が入力されると、印刷すべき画像および表示プロパティ記憶手段に記憶された表示プロパティを前記通信手段を介して前記情報処理装置へ送信することを特徴とする制御方法。
【請求項２２】
情報処理装置を制御して印刷処理を行う情報処理方法であって、
画像入力装置から印刷を指示するコマンドおよび印刷すべき画像を受信し、
印刷装置に対して、前記受信画像の印刷要求を発行し、
前記受信画像を前記印刷装置に送信することを特徴とする情報処理方法。
【請求項２３】
情報処理装置を制御して印刷処理を行う情報処理方法であって、
画像入力装置から印刷すべき画像、および、前記画像を表示する際の表示プロパティを受信し、
前記表示プロパティに応じた画像処理を前記受信画像に施し、
印刷装置に対して、前記画像処理を施した画像の印刷要求を発行し、前記画像を送信することを特徴とする情報処理方法。
【請求項２４】
画像入力装置を制御して、請求項20または請求項21に記載された制御を実現するプログラムが記録されたことを特徴とする記録媒体。
【請求項２５】
情報処理装置を制御して、請求項22または請求項23に記載された情報処理を実現するプログラムが記録されたことを特徴とする記録媒体。
【手続補正３】
【補正対象書類名】明細書
【補正対象項目名】０００１
【補正方法】変更
【補正の内容】
【０００１】
【発明の属する技術分野】
本発明は画像入力装置およびその制御方法、情報処理装置およびその方法、並びに、印刷システムに関し、例えば、ディジタルスチルカメラなどの画像入力装置により取得される画像の印刷に関する。
【手続補正４】
【補正対象書類名】明細書
【補正対象項目名】０００８
【補正方法】変更
【補正の内容】
【０００８】
本発明にかかる画像入力装置は、画像を取得する取得手段と、前記取得手段により取得した画像をメモリに記憶させる記憶制御手段と、印刷処理のための情報処理装置と通信を行う通信手段と、前記取得手段によって取得または前記メモリに記憶した画像の印刷要求を入力するための入力手段とを有し、前記通信手段は、前記印刷要求が入力されると、印刷を指示するコマンドおよび印刷すべき画像を前記情報処理装置へ送信することを特徴とする。また、画像を取得する取得手段と、前記取得手段により取得した画像をメモリに記憶させる記憶制御手段と、印刷処理のための情報処理装置と通信を行う通信手段と、前記取得手段によって取得または前記メモリに記憶した画像の印刷要求を入力するための入力手段と、前記取得または記憶された画像を表示する表示手段と、前記表示手段に画像を表示する際の表示プロパティを設定するための表示プロパティ設定手段と、設定された表示プロパティを記憶する表示プロパティ記憶手段とを有し、前記通信手段は、前記印刷要求が入力されると、印刷すべき画像および前記表示プロパティ記憶手段に記憶された表示プロパティを前記情報処理装置へ送信することを特徴とする。
【手続補正５】
【補正対象書類名】明細書
【補正対象項目名】０００９
【補正方法】変更
【補正の内容】
【０００９】
本発明にかかる情報処理装置は、画像入力装置から印刷を指示するコマンドおよび印刷すべき画像を受信する通信手段と、印刷装置に対して、前記受信画像の印刷要求を発行し、前記受信画像を送信する制御手段とを有することを特徴とする。また、画像入力装置から印刷すべき画像、および、前記画像を表示する際の表示プロパティを受信する通信手段と、前記表示プロパティに応じた画像処理を前記受信画像に施す画像処理手段と、印刷装置に対して、前記画像処理を施した画像の印刷要求を発行し、前記画像を送信する制御手段とを有することを特徴とする。
【手続補正６】
【補正対象書類名】明細書
【補正対象項目名】００１０
【補正方法】変更
【補正の内容】
【００１０】
本発明にかかる印刷システムは、画像を取得する取得手段、前記取得手段により取得した画像をメモリに記憶させる記憶制御手段、情報処理装置と通信を行う第一の通信手段、並びに、前記取得手段によって取得または前記メモリに記憶した画像の印刷要求を入力するための入力手段を有し、前記印刷要求が入力されると、前記第一の通信手段により、印刷を指示するコマンドおよび印刷すべき画像を前記情報処理装置へ送信する画像入力装置と、前記コマンドおよび前記印刷すべき画像を受信する第二の通信手段、並びに、印刷装置に対して、前記受信画像の印刷要求を発行し、前記受信画像を送信する制御手段を有する情報処理装置とを備えることを特徴とする。また、画像を取得する取得手段、前記取得手段により取得した画像をメモリに記憶させる記憶制御手段、情報処理装置と通信を行う第一の通信手段、前記取得手段によって取得または前記メモリに記憶した画像を表示する表示手段、前記取得または記憶した画像の印刷要求を入力するための入力手段、前記表示手段に画像を表示する際の表示プロパティを設定するための表示プロパティ設定手段、並びに、設定された表示プロパティを記憶する表示プロパティ記憶手段とを有し、前記印刷要求が入力されると、前記第一の通信手段により、印刷すべき画像および前記表示プロパティ記憶手段に記憶された表示プロパティを前記情報処理装置へ送信する画像入力装置と、前記印刷すべき画像および前記表示プロパティを受信する第二の通信手段、前記表示プロパティに応じた画像処理を前記受信画像に施す画像処理手段、並びに、印刷装置に対して、前記画像処理を施した画像の印刷要求を発行し、前記画像を送信する制御手段を有する情報処理装置とを備えることを特徴とする。
【手続補正７】
【補正対象書類名】明細書
【補正対象項目名】００１１
【補正方法】変更
【補正の内容】
【００１１】
本発明にかかる制御方法は、画像を取得する取得手段、前記取得手段により取得した画像をメモリに記憶させる記憶制御手段、並びに、印刷処理のための情報処理装置と通信を行う通信手段を有する画像入力装置の制御方法であって、前記取得手段によって取得または前記メモリに記憶した画像の印刷要求を入力し、前記印刷要求が入力されると、印刷を指示するコマンドおよび印刷すべき画像を前記通信手段を介して前記情報処理装置へ送信することを特徴とする。また、画像を取得する取得手段、前記取得手段により取得した画像をメモリに記憶させる記憶制御手段、印刷処理のための情報処理装置と通信を行う通信手段、前記取得手段によって取得または前記メモリに記憶した画像を表示する表示手段、前記表示手段に画像を表示する際の表示プロパティを設定するための表示プロパティ設定手段、並びに、設定された表示プロパティを記憶する表示プロパティ記憶手段を有する画像入力装置の制御方法であって、前記取得または記憶した画像の印刷要求を入力し、前記印刷要求が入力されると、印刷すべき画像および表示プロパティ記憶手段に記憶された表示プロパティを前記通信手段を介して前記情報処理装置へ送信することを特徴とする。
【手続補正８】
【補正対象書類名】明細書
【補正対象項目名】００１２
【補正方法】変更
【補正の内容】
【００１２】
本発明にかかる情報処理方法は、情報処理装置を制御して印刷処理を行う情報処理方法であって、画像入力装置から印刷を指示するコマンドおよび印刷すべき画像を受信し、印刷装置に対して、前記受信画像の印刷要求を発行し、前記受信画像を前記印刷装置に送信することを特徴とする。また、情報処理装置を制御して印刷処理を行う情報処理方法であって、画像入力装置から印刷すべき画像、および、前記画像を表示する際の表示プロパティを受信し、前記表示プロパティに応じた画像処理を前記受信画像に施し、印刷装置に対して、前記画像処理を施した画像の印刷要求を発行し、前記画像を送信することを特徴とする。